(57)【要約】【課題】  着用感が向上した指袋を有する編地の指股を編成する指股編成方法、およびその編地を提供する。【解決手段】  互いに隣接する指袋２１ａ，２１ｂのうち少なくともいずれか一方の基端部２２ａ，２２ｂに、編幅が増加する編幅増加部分２３を形成し、前記編幅増加部分２３の内側に他方の基端部の編目を重ね合わせて、各指袋２１ａ，２１ｂの基端部２２ａ，２２ｂに連なる胴部を編成する。【選択図】      図１
2008248415.tif 000002
【特許請求の範囲】
【請求項１】
左右方向に延び、少なくとも前後一対の針床を備え、前後の針床の少なくとも一方が左右にラッキング可能であり、かつ前後の針床間で目移しが可能な横編機を用いて、それぞれが筒状編地で形成される指袋および胴部を有する編地の指股を編成する指股編成方法であって、
互いに隣接し、かつ少なくとも一方が指袋を形成する筒状編地のうち少なくともいずれか一方の基端部に、編幅が増加する編幅増加部分を形成し、前記編幅増加部分の内側に他方の基端部の編目を重ね合わせて、各基端部に連なる胴部を編成することを特徴とする指股編成方法。
【請求項２】
それぞれが筒状編地で形成される指袋と胴部とを有する編地であって、
互いに隣接し、かつ少なくとも一方が指袋を形成する筒状編地のうち少なくともいずれか一方の基端部には、編幅が増加する編幅増加部分が形成され、前記編幅増加部分の内側に他方の基端部の編目を重ね合わせて、各基端部が連なる胴部が編成されていることを特徴とする編地。
【発明の詳細な説明】
【技術分野】
【０００１】
本発明は、指袋を有する編地の指股を編成する指股編成方法、および複数の指袋を有する編地に関する。
【背景技術】
【０００２】
図５は、指袋１を有する編地の一部分を示す正面図である。従来の技術では、指袋１を有する手袋などの編地を編成する過程において、隣接する指袋１の指股２で編目を重ねずに胴部分の編成を行うと、指股２に孔が開いてしまうので、隣接する指袋１の指股２を形成する基端部３同士を重ねて編成している（たとえば特許文献１参照）。
【０００３】
【特許文献１】特公昭５０−１８１０５号公報
【発明の開示】
【発明が解決しようとする課題】
【０００４】
図５に示すように、各指袋１の中間部の幅がそれぞれＷ１，Ｗ２に形成されているとき、重ねて編成される基端部３の幅は、これらＷ１，Ｗ２よりもそれぞれ小さなＷ３，Ｗ４となってしまうので、指股２における指袋１の周長が短くなって、着用したときに指が不所望に圧迫されて、着用感が悪くなる。
【０００５】
したがって本発明の目的は、指が不所望に圧迫されることがなく、着用感が向上した指袋を有する編地の指股を編成する指股編成方法、およびその編地を提供することである。
【課題を解決するための手段】
【０００６】
本発明は、左右方向に延び、少なくとも前後一対の針床を備え、前後の針床の少なくとも一方が左右にラッキング可能であり、かつ前後の針床間で目移しが可能な横編機を用いて、それぞれが筒状編地で形成される指袋および胴部を有する編地の指股を編成する指股編成方法であって、
互いに隣接し、かつ少なくとも一方が指袋を形成する筒状編地のうち少なくともいずれか一方の基端部に、編幅が増加する編幅増加部分を形成し、前記編幅増加部分の内側に他方の基端部の編目を重ね合わせて、各基端部に連なる胴部を編成することを特徴とする指股編成方法である。
【０００７】
また本発明は、それぞれが筒状編地で形成される指袋と胴部とを有する編地であって、
互いに隣接し、かつ少なくとも一方が指袋を形成する筒状編地のうち少なくともいずれか一方の基端部には、編幅が増加する編幅増加部分が形成され、前記編幅増加部分の内側に他方の基端部の編目を重ね合わせて、各基端部が連なる胴部が編成されていることを特徴とする編地である。
【発明の効果】
【０００８】
請求項１記載の本発明によれば、互いに隣接し、かつ少なくとも一方が指袋を形成する筒状編地のうちの少なくとも一方の基端部に形成される編幅増加部分の内側に他方の基端部の編目を重ね合わせることによって、指股に孔が形成されてしまうことがなく、また基端部において指袋の周長が中間部よりも小さくなってしまうことが防止された指袋を有する編地を横編機によって編成することができる。編成された編地は、装着したときに指が不所望に圧迫されることがなく、着用感が向上する。
【０００９】
また請求項２記載の本発明によれば、互いに隣接し、かつ少なくとも一方が指袋を形成する筒状編地のうちの少なくとも一方の基端部に形成される編幅増加部分の内側に他方の基端部の編目を重ね合わさることによって、指股に孔が形成されてしまうことがなく、また基端部において指袋の周長が中間部よりも小さくなってしまうことが防止されるので、装着したときに指が不所望に圧迫されることがなく、着用感が向上した編地となる。
【発明を実施するための最良の形態】
【００１０】
図１は、本発明の実施の一形態の指股編成方法で編成される編地２０を模式的に示す平面図であり、図２は、図１の切断面線ＩＩＩ−ＩＩＩから見た指袋２１ａ，２１ｂの基端部２２ａ，２２ｂにおける断面を模式的に示す図であり、図３は編成工程図である。本実施の形態の指股編成方法は、手袋および靴下の編成に用いられる。図１において、記号「δ」はひねり目を表し、記号「○」および「◎」はニットを表し、記号「∧」は掛け目を表し、前針床を「ＦＢ」で表し、後針床を「ＢＢ」で表し、前針床ＦＢの編針をＡ〜Ωで表し、後針床ＢＢの編針ａ〜ωで表している。本実施の形態では、左右方向に延び、少なくとも前後方向に互いに対向する前後一対の針床ＦＢ，ＢＢを備え、給糸装置１９が設けられるキャリッジを針床上を左右に移動させることによって前記編針が進退可能に構成され、前および後針床ＦＢ，ＢＢの少なくとも一方が左右にラッキング可能であり、前後の針床ＦＢ，ＢＢ間で編目の目移しが可能である横編機を用いて編地２０を編成する。本実施の形態の横編機では、筒状の編地を編成するときには、たとえば、前針床ＦＢの一端から奇数番目の編針Ａ，Ｃ，…，Ｙ，Σを前側編地を編成するために用い、後針床ＢＢの一端から偶数番目の編針ｂ，ｄ，…，ｚ，ωを後側編地を編成するために用いて編成を行うようにしている。理解を容易にするために、編成に使用する針の本数を実際よりも少なくし、平編組織で周回編成によって筒状編地を編成する場合に適用して、それぞれが筒状編地で形成され、かつ相互に隣接する指袋２１のうちの一方の指袋２１ａの基端部２２ａにおける編幅を２つの編目分増加する場合について説明する。
【００１１】
第１工程で、左右方向（コース方向）に給糸装置１９を往復移動させ、編針ｂ〜ｌ，Ｋ〜Ａの順に給糸装置１９から供給される編糸をニットして、指袋２１ａを筒状に編成する。第２工程で、給糸装置１９を右方に移動させて、編針ｂ〜ｌによって編糸をニットした後、第３工程で給糸装置１９を左方に移動させて、編針Ｍに編糸を係止してひねり目を形成する。第４工程で、給糸装置１９を右方に移動させて、編針ｎに編糸を係止して掛け目を形成し、第５および第６工程で、それぞれ第３および第４工程と同様な動作を繰り返す。
【００１２】
第７工程で、給糸装置１９を左方に移動させて、編針ｎが係止する編糸部分に、編糸をニットしてニットループを形成する。また第７工程では、給糸装置１９をさらに左方に移動させて、編針Ｋ〜Ａの順によって編糸をニットする。以上第３〜第７工程によって、増し目を形成するための基礎となる編み出し編目を形成する。
【００１３】
第８工程で、左右方向に給糸装置１９を往復移動させ、編針Ｍ，ｎを含めて編針ｂ〜ｎ，Ｍ〜Ａの順に編糸をニットすることによって増し目が形成され、編幅を１つの編目分増加させる。第９工程で、第８工程と同様な動作を繰り返して、編針ｂ〜ｐ，Ｏ〜Ａの順にニットする周回編成を行うことによって、編幅を１つの編目分増加させる。以上の第３〜第９工程によって、指袋２１ａの基端部２２ａに、編幅が増加した編幅増加部分２３を形成することができる。
【００１４】
第１０工程で、左右方向に給糸装置１９を往復移動させ、編針Σ〜Ｑ、ｒ〜ωの順に編糸をニットして、指袋２１ｂを筒状に編成する。第１１工程で、矢印で示すように、編針Ｑ〜Σに係止された編糸をこれらに対向する編針ｑ〜σに、目移しする。第１２工程で、前針床ＦＢを右側に４ピッチラッキングさせて、編針Ａに編針ｅを対向させる。
【００１５】
第１３工程で、編針ｑ〜ωに係止された編糸をこれらに対向する編針Ｍ〜Ｘに目移しする。このとき「◎」で示すように、前針床の編針Ｍ，Оでは、編幅増加部分２３の編目と、指袋２１ｂの基端部２２ｂの編目とが係止された状態となる。第１４工程で、前針床ＦＢを左側に４ピッチラッキングさせ、元の位置に戻す。
【００１６】
第１５工程で、編針Ｍ〜Ｘのうち、左端から偶数番目の編針Ｎ，Ｐ，Ｒ，Ｔ，Ｖ，Ｘから、これらに対向する編針ｎ，ｐ，ｒ，ｔ，ｖ，ｘに、目移しを行う。このとき「◎」で示すように、編針ｎ，ｐでは、編幅増加部分２３の編目と、指袋２１ｂの基端部２２ｂの編目とが重ね合わされた状態となる。第１１〜第１５工程によって、図２に示すように、指袋２１ｂの基端部２２ｂを、指袋２１ａの編幅増加部分２３の内側に入り込ませることができる。各指袋２１ａ，２１ｂの中間部の幅がそれぞれＷ５，Ｗ６に形成されているとき、編目が重ねて編成される基端部２２ａ，２２ｂの幅は、これらＷ５，Ｗ６と等しくすることができるので、指股２５における指袋２１ａ，２１ｂの周長が短くなってしまうことが防止される。
【００１７】
第１６工程では、左右方向に給糸装置１９を往復移動させ、編針ｂ〜ｘ，Ｗ〜Ａの順に編糸をニットして、各指袋２１ａ，２１ｂの基端部２２ａ，２２ｂに連なる筒状の胴部を周回編成する。
【００１８】
以上のように横編機によって指袋２１ａ，２１ｂを有する編地２０を編成すれば、編成された編地２０において、隣接する指袋２１ａ，２１ｂの基端部２２ａ，２２ｂの編目が重ね合わされるので、指股に孔が形成されてしまうことがなく、また基端部２２ａ，２２ｂにおいて各指袋２１ａ，２２ｂの周長が胴部分よりも小さくなってしまうことが防止することができ、指が圧迫されることがなく、着用感が向上する。
【００１９】
前述した実施の形態では、隣接する指袋のうちの一方の基端部の編幅を増加させたが、隣接する編袋の両者の基端部の編幅を増加させてもよく、また３つの指袋が隣接する場合には、真ん中の指袋の両側に編幅増加部分２３を形成してもよく、また基端部における編幅の増やし方は前述した方法に限らず他の方法を用いてもよい。また１コースあたり編幅を１つの編目ずつではなく、複数の編目増加させてもよく、また編幅を増やす目数は２目に限らない。
【００２０】
また前述した指袋のうちの一方は、筒状編地で形成される胴部であってもよい。すなわち図４（１）および（２）に示すような手袋３０および靴下４０において、前記編成方法は、小指用の指袋３１ｄと３本胴部３２との指股や、親指用の指袋３１ｅと４本胴部３３との指股編成にも適用可能である。
【００２１】
手袋を編成する場合では、薬指用、人差し指用、中指用の指袋３１ａ，３１ｂ，３１ｃ、およびこれらの基端部に連なる３本胴部３２を図３に示す編成工程と同様に編成した後、この３本胴部３２と小指用の指袋３１ｄとの少なくとも一方の基端部に、編幅が増加する編幅増加部分２３を形成し、この編幅増加部分２３の内側に他方の基端部の編目を重ね合わせて、３本胴部３２と小指用の指袋３１ｄの基端部が連なる４本胴部３３を、図３に示す編成工程と同様にして編成する。また同様に、４本胴部３３と親指用の指袋３１ｅとについても同様に編成して５本胴部３４を編成する。編幅を増加すると、３，４および５本胴部３２，３３，３４の編幅が増加するので、これら胴部分の編成を開始するときに編目を重ねて編幅を減少させる。
【００２２】
各指袋３１ａ，３１ｂ，３１ｃは、この順番に編成されてもよく、あるいは異なる順番で編成されてもよい。また各指袋３１ａ，３１ｂ，３１ｃのうち、隣接する２つの指袋に編幅増加部分２３を形成してもよく、あるいは、中指用の指袋３１ｂの両側にのみ編幅増加部分２３を形成してもよい。
【００２３】
また靴下を編成する場合では、親指用、人差し指用、中指用、薬指用の指袋４１ａ，４１ｂ，４１ｃ，４１ｄと、およびこれらの基端部に連なる４本胴部４２を図３に示す編成工程と同様に編成した後、この４本胴部４２と小指用の指袋３１ｅとを図３に示す編成工程と同様にして編成して５本胴部４３を編成する。編幅を増加すると、４および５本胴部４２，４３の編幅が増加するので、これら胴部分の編成を開始するときに編目を重ねて編幅を減少させる。
【００２４】
各指袋４１ａ，４１ｂ，４１ｃ，４１ｄは、この順番に編成されてもよく、あるいは異なる順番で編成されてもよい。また各指袋４１ａ，４１ｂ，４１ｃ，４１ｄのうち、隣接する３つの指袋に編幅増加部分２３を形成してもよく、隣接する指袋のうち、いずれか一方に編幅増加部分２３が形成されればよい。
【００２５】
以上のような手袋３０および靴下４０は、指袋の基端部において周長が短くなってしまうことがないので、指が不所望に圧迫されることがなく、着用感を向上させることができる。
【図面の簡単な説明】
【００２６】
【図１】本発明の実施の一形態の指股編成方法で編成される編地２０を模式的に示す平面図である。
【図２】図１の切断面線ＩＩＩ−ＩＩＩから見た指袋２１ａ，２１ｂの基端部２２ａ，２２ｂにおける断面を模式的に示す図である。
【図３】編成工程図である。
【図４】図４（１）は手袋３０の一部を示す平面図であり、靴下４０の一部を示す平面図である。
【図５】指袋１を有する編地の一部分を示す正面図である。
【符号の説明】
【００２７】
２０    編地
１，２１，２１ａ，２１ｂ，３１ａ〜３１ｅ    指袋
３，２２ａ，２２ｂ    基端部
２３  編幅増加部分
２，２５    指股
ＦＢ    前針床
ＢＢ    後針床
Ａ〜Ω，ａ〜ω      編針
【図１】
2008248415.tif 000003
【図２】
2008248415.tif 000004
【図３】
2008248415.tif 000005
【図４】
2008248415.tif 000006
【図５】
2008248415.tif 000007